(57)【要約】【課題】光源部を内蔵した回転体を皮膚から離すことなく回転させながら皮膚に光を連続照射可能とすると共に照射部位に対する照射ムラを無く。【解決手段】皮膚の体毛の成長を調節するため発毛調節光照射装置において、光を発する光源部１と、光源部を発光させる電源部２と、光源部及び電源部を内部に設け、皮膚３に接触して回転する回転体４と、電源部から光源部へ電力供給して該光源部を発光させ、該回転体を回転させながら皮膚に光を照射する発光制御部５と、を備えた構造。【選択図】図１
2011062343.tif 000002
【特許請求の範囲】
【請求項１】
皮膚の体毛の成長を調節するための光を発する光源部と、
前記光源部を発光させる電源部と、
前記光源部及び電源部を内部に設け、前記皮膚に接触して回転する回転体と、      前記電源部から前記光源部へ電力供給して該光源部を発光させ、該回転体を回転させながら前記皮膚に光を照射する発光制御部と、を備えた
ことを特徴とする発毛調節光照射装置。
【請求項２】
請求項１に記載の発毛調節光照射装置であって、
前記回転体に圧力センサーが設けられ、該圧力センサーに前記皮膚との接触による所定の圧力が加わった時に、前記電源部から前記光源部に電力供給されて該光源部が発光する
ことを特徴とする発毛調節光照射装置。
【請求項３】
請求項１または請求項２に記載の発毛調節光照射装置であって、
少なくとも前記回転体の前記皮膚との接触部以外の部位を被覆して前記光を遮光する遮光部材を有した
ことを特徴とする発毛調節光照射装置。
【請求項４】
請求項１から請求項３の何れか１項に記載の発毛調節光照射装置であって、
前記回転体が前記光を透過させる光透過部材からなる
ことを特徴とする発毛調節光照射装置。
【請求項５】
請求項１から請求項４の何れか１項に記載の発毛調節光照射装置であって、
前記回転体の表面に突起部が形成された
ことを特徴とする発毛調節光照射装置。
【請求項６】
請求項１から請求項３の何れか１項に記載の発毛調節光照射装置であって、
前記回転体の表面に、前記光源部で発光した光を前記皮膚に向けて照射する開口部が形成された
ことを特徴とする発毛調節光照射装置。
【請求項７】
請求項１から請求項６の何れか１項に記載の発毛調節光照射装置であって、
前記光源部で発光する光は、可視光から近赤外光までの光である
ことを特徴とする発毛調節光照射装置。
【発明の詳細な説明】
【技術分野】
【０００１】
本発明は、体毛の成長を調整するための光を皮膚に対して照射する発毛調節光照射装置に関し、詳細には、光源部を内蔵した回転体を皮膚から離すことなく回転させて光を連続照射可能とする技術に関する。
【背景技術】
【０００２】
例えば、皮膚にレーザ等の光を照射し、その光の作用により体毛の成長を抑制又は促進することで、脱毛又は育毛を図る発毛調節光照射装置が知られている（例えば、特許文献１等に記載）。特許文献１に記載の発毛調節光照射装置は、皮膚に刺激を与える刺激付与部と、皮膚に光を照射して体毛の成長を調節する発光体と、発光体を発光させる照射スイッチと、を装置本体に備えた構造とされている。
【０００３】
この発毛調節光照射装置では、ローラを皮膚に押し付けて該皮膚に刺激を与えることで組織を活性化させて光に対する反応性を向上させた後、装置本体に設けた照射スイッチをオンして皮膚に光を照射することで、体毛の成長を抑制又は促進させて脱毛又は育毛を図るようにしている。
【先行技術文献】
【特許文献】
【０００４】
【特許文献１】特開２００９−３４２３４号公報
【発明の概要】
【発明が解決しようとする課題】
【０００５】
しかしながら、特許文献１に記載の発毛調節光照射装置では、１回１回照射の度に皮膚から装置本体を離すのが面倒であり、毎回皮膚から装置本体を離すため光を照射する部位が不均一となる。
【０００６】
そこで、本発明は、光源部を内蔵した回転体を皮膚から離すことなく回転させながら皮膚に光を連続照射可能とすると共に、照射部位に対する照射ムラを無くことができる発毛調節光照射装置を提供することを目的とする。
【課題を解決するための手段】
【０００７】
請求項１に記載の発毛調節光照射装置は、皮膚の体毛の成長を調節するための光を発する光源部と、前記光源部を発光させる電源部と、前記光源部及び電源部を内部に設け、前記皮膚に接触して回転する回転体と、前記電源部から前記光源部へ電力供給して該光源部を発光させ、該回転体を回転させながら前記皮膚に光を照射する発光制御部と、を備えたことを特徴とする。
【０００８】
請求項２に記載の発明は、請求項１に記載の発毛調節光照射装置であって、前記回転体に圧力センサーが設けられ、該圧力センサーに前記皮膚との接触による所定の圧力が加わった時に、前記電源部から前記光源部に電力供給されて該光源部が発光することを特徴とする
【０００９】
請求項３に記載の発明は、請求項１または請求項２に記載の発毛調節光照射装置であって、少なくとも前記回転体の前記皮膚との接触部以外の部位を被覆して前記光を遮光する遮光部材を有したことを特徴とする。
【００１０】
請求項４に記載の発明は、請求項１から請求項３の何れか１項に記載の発毛調節光照射装置であって、前記回転体が前記光を透過させる光透過部材からなることを特徴とする。
【００１１】
請求項５に記載の発明は、請求項１から請求項４の何れか１項に記載の発毛調節光照射装置であって、前記回転体の表面に突起部が形成されたことを特徴とする。
【００１２】
請求項６に記載の発明は、請求項１から請求項３の何れか１項に記載の発毛調節光照射装置であって、前記回転体の表面に、前記光源部で発光した光を前記皮膚に向けて照射する開口部が形成されたことを特徴とする。
【００１３】
請求項７に記載の発明は、請求項１から請求項６の何れか１項に記載の発毛調節光照射装置であって、前記光源部で発光する光は、可視光から近赤外光までの光であることを特徴とする。
【発明の効果】
【００１４】
請求項１に記載の発毛調節光照射装置によれば、光源部及び電源部を内部に設けた回転体を回転させながら皮膚に光を照射する発光制御部を備えているので、この発光制御部によって回転体を回転させながら皮膚に光を照射することができると共に、該回転体の回転により連続して皮膚に光を照射することができる。従って、１回１回照射の度に皮膚から装置本体を離すことなく連続照射することができると共に、均一照射によって照射部位のムラを無くすことができる。
【００１５】
請求項２に記載の発毛調節光照射装置によれば、回転体に設けた圧力センサーに皮膚との接触による所定の圧力が加わった時に、電源部から電力供給されることで光源部が発光するため、照射スイッチをその都度オンオフさせる面倒な操作をすることなく光を皮膚に照射させることができる。
【００１６】
請求項３に記載の発毛調節光照射装置によれば、回転体の皮膚との接触部以外の部位を遮光部材で被覆しているので、この遮光部材が目隠しとして機能することで皮膚との接触部以外の部位に光が照射されることを抑制することができ、また、目に光が入るのを阻止することができる。
【００１７】
請求項４に記載の発毛調節光照射装置によれば、光を透過させる光透過部材で回転体を構成したので、回転体内に設けた光源部が発光した光を、該回転体を通して皮膚へと照射させることができる。
【００１８】
請求項５に記載の発毛調節光照射装置によれば、回転体の表面に形成された突起部が皮膚に押し付けられることにより、該突起部で押される加圧により血行促進がなされ、皮膚組織がさらに活発化されて光に対する反応性を向上させることができる。
【００１９】
請求項６に記載の発毛調節光照射装置によれば、回転体の表面に光を皮膚に向けて照射する開口部が形成されているので、この開口部から直接的に光を皮膚に照射することができる。
【００２０】
請求項７に記載の発毛調節光照射装置によれば、光源部で発光する光を可視光から近赤外光までの光とするので、幅の広い光源を使用することができる。また、光源の波長を適宜選択することにより、体毛の成長を抑制又は促進させることができる。
【図面の簡単な説明】
【００２１】
【図１】図１は第１実施形態の発毛調節光照射装置の一例を示し、（Ａ）は装置全体を示す斜視図、（Ｂ）は光源部の他の例を示す拡大斜視図、（Ｃ）は光源部の更に他の例を示す拡大斜視図である。
【図２】図２は第１実施形態の発毛調節光照射装置において、回転体に圧力センサーを設けた発毛調節光照射装置の斜視図である。
【図３】図３は第１実施形態の発毛調節光照射装置において、回転体の表面に突起部を形成した発毛調節光照射装置の斜視図である。
【図４】図４は第１実施形態の発毛調節光照射装置において、皮膚との接触部以外の部位を被覆して光を遮光する遮光部材を設けた発毛調節光照射装置の斜視図である。
【図５】図５は第１実施形態の発毛調節光照射装置において、回転体の表面に光照射用の開口部を形成した発毛調節光照射装置の斜視図である。
【図６】図６は第１実施形態の発毛調節光照射装置において、回転体の表面に光照射用の開口部を矩形状として複数形成した発毛調節光照射装置の斜視図である。
【図７】図７は第２実施形態の発毛調節光照射装置の一例を示す斜視図である。
【発明を実施するための形態】
【００２２】
以下、本発明を適用した具体的な実施形態について図面を参照しながら詳細に説明する。
【００２３】
［第１実施形態］
図１は第１実施形態の発毛調節光照射装置の一例を示し、（Ａ）は装置全体を示す斜視図、（Ｂ）は光源部の他の例を示す拡大斜視図、（Ｃ）は光源部の更に他の例を示す拡大斜視図である。
【００２４】
第１実施形態の発毛調節光照射装置は、図１（Ａ）に示すように、皮膚の体毛の成長を調節するための光を発する光源部１と、光源部１を発光させる電源部２と、光源部１及び電源部２を内部に設け、皮膚３に接触して回転する回転体４と、電源部２から光源部１へ電力供給して該光源部１を発光させ、該回転体４を回転させながら皮膚３に光を照射する発光制御部５と、回転体４を回転支持する支持機構部６と、を備えている。
【００２５】
光源部１は、例えばキセノンランプ等からなる。光源部１は、後述する回転体４の内部に該回転体４の長手方向に沿って設けられている。かかる光源部１は、配線Ｓ１で接続される電源部２からの電力供給を受けて発光する。本実施形態では、光源部１は常時発光するものとする。光源部１で発せられる光は、可視光から近赤外光までの光とされ、体毛の成長を抑制又は促進する作用を有する。
【００２６】
電源部２は、例えば乾電池或いは二次電池等からなり、光源部１と同じく回転体４の内部に設けられている。
【００２７】
回転体４は、円柱形状をなすローラ形状として形成されている。この回転体４は、内部に設けた光源部１で発せられた光を透過させる光透過部材からなる。例えば、回転体４は、透明なプラスチック樹脂から形成される。
【００２８】
発光制御部５は、図示を省略するオンオフスイッチをオンすることで電源部２から光源部１へ電力供給して該光源部１を発光させる。発光制御部５としては、例えばゴニオメーターや加速度センサー等が使用される。なお、発光制御部５は、回転体４の回転を検出した時或いは回転体４の傾斜を感知した時に、電源部２から光源部１へ電力供給して光源部１を自動的に発光させるようにしてもよい。こうすることで、光源部１を発光させるためのオンオフスイッチが不要となる。回転体４の傾斜を感知するには、例えば傾斜角度計を使用することができる。
【００２９】
支持機構部６は、回転体４を回転支持する支持軸７と、この支持軸７の両端に取り付けられる支持軸保持アーム８と、この支持軸保持アーム９に連結される取っ手９とからなる。
【００３０】
支持軸７は、回転体４の中心に挿入固定され、該回転体４と共に回転するようになっている。この支持軸７には、前記した光源部１が取り付けられている。光源部１は、支持軸７に保持されるように取り付けられているが、該支持軸７と共に連れ回って回転するのではなく、該支持軸７にぶら下がるように取り付けられている。そのため、光源部１から照射される光は、常に一定の照射方向となっている。
【００３１】
支持軸保持アーム８は、回転体４の長手方向における両端面４ａ、４ｂから突出する支持軸７に結合する支持アーム８Ａ、８Ｂと、これら支持アーム８Ａ、８Ｂを連結する連結アーム８Ｃとからなり、略コの字状として形成されている。支持アーム８Ａ、８Ｂと支持軸７の両端部（前記回転体４の両端面４ａ、４ｂから突出している部分）には、前記支持軸７を回転可能に支持するための軸受け２０が設けられている。
【００３２】
取っ手９は、連結アーム８Ｃの長手方向中心位置に該連結アーム８Ｃに対して略垂直に取り付けられている。かかる取っ手９は、例えば手に握り易いように丸棒として形成されている。
【００３３】
なお、図１（Ａ）では、光源部１を支持軸７に対してぶら下げるように取り付けた構造としたが、図１（Ｂ）に示すように、支持軸７の外周面を覆うように光源部１を取り付け、該光源部１を支持軸７と共に回転させるようにしてもよい。或いは、図１（Ｃ）に示すように、長方形状をなす複数の光源部１を支持軸７の外周面に所定間隔を置いて貼り付け、該光源部１を支持軸７と共に回転させるようにしてもよい。
【００３４】
以上のように構成された発毛調節光照射装置を用いて脱毛処理を行うには、使用者は取っ手９を握り、回転体４のローラ表面４ｃを皮膚３に押し当てる。次に、オンオフスイッチをオンする。或いは、取っ手９を動かして回転体４を皮膚３の上で転がす。なお、回転体４を皮膚３に押し当てる前にオンオフスイッチをオンしてもよい。
【００３５】
オンオフスイッチがオンされると、電源部２から光源部１に電力供給される。或いは、回転体４の回転（実際には、支持軸７の回転）を発光制御部５が検知すると、電源部２から光源部１に電力供給される。光源部１は、電源部２から供給された電力によって発光する。光源部１は、オンオフスイッチのオン状態で常時点灯し、或いは回転体４が回転している間は常時発光し続ける。
【００３６】
光源部１で発光した光は、光透過部材からなる回転体４を透過して皮膚３に照射される。そして、皮膚３に生える体毛は、この光の作用により成長が抑制されることになる。このとき、皮膚３は、光の他に回転体４からの加圧による刺激を受けるため、皮膚組織が活性化されて光に対する反応性が高まる。したがって、本実施形態の発毛調節光照射装置によれば、より高い抑毛効果が奏される。
【００３７】
本実施形態の発毛調節光照射装置によれば、光源部１及び電源部２を内部に設けた回転体４を回転させながら皮膚３に光を照射する発光制御部５を備えているので、回転体４を回転させながら皮膚３に光を照射することができると共に、該回転体４の回転により連続して光を皮膚３に照射することができる。従って、本発明によれば、１回１回照射の度に皮膚３から装置本体を離すことなく連続照射することができると共に、均一照射によって照射部位のムラを無くすことができる。従来では、一度皮膚（肌）から装置本体を離して光を照射することによって起こる照射部位の不均一による処置ばらつきが起こるが、本発明の発毛調節光照射装置ではこの課題を解決することができる。
【００３８】
また、本実施形態の発毛調節光照射装置によれば、光を透過させる光透過部材で回転体４を構成したので、回転体４内に設けた光源部１が発光した光を、該回転体４を通して皮膚３へと照射させることができる。
【００３９】
また、本実施形態の発毛調節光照射装置によれば、光源部１で発光する光を可視光から近赤外光までの光とするので、幅の広い光源を使用することができる。さらに、光源の波長を適宜選択することにより、体毛の成長を抑制又は促進させることができる。例えば、可視光〜近赤外領域を用いて体毛の成長を抑制したり、近赤外光を用いて体毛の成長を促進させたりできる。なお、体毛の成長を抑制又は促進させる波長は一義的に決まるものではなく、上記の波長は一例を示しているに過ぎない。
【００４０】
また、本発明の発毛調節光照射装置によれば、回転体４を回転させるだけで光源部１を発光させ、また、回転体４の回転を停止することで光源部１の発光をストップさせるようにした場合は、照射スイッチをその都度オンオフさせる必要が無くなる。
【００４１】
［第１実施形態の変形例１］
図２は第１実施形態の発毛調節光照射装置において、回転体に圧力センサーを設けた発毛調節光照射装置の斜視図である。
【００４２】
図２の発毛調節光照射装置では、回転体４のローラ表面４ｃに帯状の圧力センサー１０を回転方向に巻き付けるようにして設けると共に回転体４の内部に圧力検知部１１を設けた構造としている。そして、この発毛調節光照射装置では、圧力検知部１１に所定の圧力を設定しておき、前記圧力センサー１０から得られた圧力が前記所定の圧力であると該圧力検知部１１が検知した場合、光源部１へ電力供給するよう電源部２に指令を出して該光源部１を発光させる。
【００４３】
圧力センサー１０と圧力検知部１１とは、配線Ｓ３で接続されている。また、圧力検知部１１は、電源部２と配線Ｓ４で接続されると共に発光制御部５と配線Ｓ２で接続されている。
【００４４】
この実施形態の発毛調節光照射装置によれば、回転体４に設けた圧力センサー１０に皮膚３との接触による所定の圧力が加わった時に、電源部２から電力供給されることで光源部１が発光するため、照射スイッチをその都度オンオフさせる面倒な操作をすることなく光を皮膚に照射させることができる。
【００４５】
［第１実施形態の変形例２］
図３は第１実施形態の発毛調節光照射装置において、回転体の表面に突起部を形成した発毛調節光照射装置の斜視図である。
【００４６】
図３の発毛調節光照射装置では、回転体４のローラ表面４ｃに、例えば高さの低い円柱形状をなす突起部１２を複数形成する。具体的には、回転体４の回転方向に沿って円柱形状をなす突起部１２を所定間隔を置いて円環状に形成したものを、該回転体４の長手方向に複数列として形成している。なお、突起部１２の配列は、上記実施形態に限定されるものではなく、種々の変形が可能である。
【００４７】
この実施形態の発毛調節光照射装置によれば、回転体４のローラ表面４ｃに形成された突起部１２が皮膚３に押し付けられることにより、該突起部１２で押される加圧により血行促進がなされ、皮膚組織がさらに活発化されて光に対する反応性を向上させることができる。
【００４８】
［第１実施形態の変形例３］
図４は第１実施形態の発毛調節光照射装置において、皮膚との接触部以外の部位を被覆して光を遮光する遮光部材を設けた発毛調節光照射装置の斜視図である。
【００４９】
図４の発毛調節光照射装置では、回転体４の前記皮膚３との接触部以外の部位を被覆して前記光を遮光する遮光部材１３を支持機構部６に取り付けた構造としている。前記遮光部材１３は、回転体４の皮膚３との接触部側とは反対側を覆うような円弧状の傘形状として形成され、前記支持軸保持アーム８及び取っ手９に固定されている。この遮光部材１３の大きさは、少なくとも回転体４の前記皮膚３との接触部以外の部位を覆うことのできる程度の大きさとされている。
【００５０】
この実施形態の発毛調節光照射装置によれば、回転体４の皮膚３との接触部以外の部位を遮光部材１３で被覆しているので、回転体４が光透過部材で形成されていてもこの遮光部材１３が目隠しとして機能することで皮膚３との接触部以外の部位に光が照射されることを抑制することができ、また、目に光が入るのを阻止することができる。
【００５１】
［第１実施形態の変形例４」
図５は第１実施形態の発毛調節光照射装置において、回転体の表面に光照射用の開口部を形成した発毛調節光照射装置の斜視図である。
【００５２】
図５の発毛調節光照射装置では、回転体４を光を透過させない遮光部材で形成し、その回転体４のローラ表面４ｃに、該回転体４の長手方向に沿って長方形状をなす開口部１４を周方向に所定間隔を置いて複数形成した構造としている。この発毛調節光照射装置では、開口部１４からのみ光が皮膚３に対して照射されることになる。
【００５３】
この実施形態の発毛調節光照射装置によれば、開口部１４から直接的に光を皮膚３に照射することができる。
【００５４】
なお、図５の発毛調節光照射装置において、各開口部１４に光源部１を配置し、各開口部１４から光を照射させるようにしてもよい。
【００５５】
［第１実施形態の変形例５」
図６は第１実施形態の発毛調節光照射装置において、回転体の表面に光照射用の開口部を矩形状として複数形成した発毛調節光照射装置の斜視図である。
【００５６】
図６の発毛調節光照射装置では、回転体４を光を透過させない遮光部材で形成し、その回転体４のローラ表面４ｃに、該回転体４の長手方向に沿って小さな矩形状をなす開口部１５を所定間隔を置いて複数形成したものを、周方向に複数形成した構造としている。この発毛調節光照射装置では、開口部１５からのみ光が皮膚３に対して照射されることになる。なお、開口部１５の配置は、上記実施形態に限定されるものではなく、種々の変形が可能である。
【００５７】
この実施形態の発毛調節光照射装置によれば、複数個の矩形状をなす開口部１５から直接的に光を皮膚３に照射することができる。
【００５８】
なお、図６の発毛調節光照射装置において、各開口部１５に光源部１を配置し、各開口部１５から光を照射させるようにしてもよい。
【００５９】
［第２実施形態］
図７は第２実施形態の発毛調節光照射装置の一例を示す斜視図である。
【００６０】
第２実施形態の発毛調節光照射装置は、第１実施形態で示したような棒状の取っ手９を手で握る形状ではなく、取っ手９に変えて図７に示すように卵を略半分にした形状（別の見方をすると手の平で覆うように掴んで使用するいわばマウス形状）の把持部１６としている。把持部１６の内部には、光源部１と電源部２を内蔵した回転体４を回転自在に設けている。回転体４は、その軸芯に取り付けられた支持軸７を中心として回転する。なお、ここでは、把持部１６は光を透過させない遮光部材で形成されているものとする。
【００６１】
把持部１６の底部には、回転体４の皮膚３に対する接触圧を検知する圧力センサー１０が取り付けられている。また、把持部１６の内部には、圧力検知部１１と発光制御部５が設けられている。この圧力検知部１１は、前記圧力センサー１０から得られた圧力が所定の圧力であると該圧力検知部１１が検知した場合、電源部２から光源部１へ電力供給して光源部１を発光させる。
【００６２】
光源部１で発光した光は、把持部１６の底部に形成された矩形状をなす開口部１７から皮膚３に向けて照射される。その結果、皮膚３に生える体毛は、この光の作用により成長が抑制されることになる。このとき、皮膚３は、回転体４からの加圧による刺激を受けるため、皮膚組織が活性化されて光に対する反応性が高まる。したがって、本実施形態の発毛調節光照射装置によれば、より高い抑毛効果が奏される。
【００６３】
なお、第２実施形態では、前記把持部１６と支持軸７が、本発明の支持機構部に相当する。また、前記把持部１６は、光を透過させる光透過部材で形成してもよい。
【符号の説明】
【００６４】
１…光源部
２…電源部
３…皮膚
４…回転体
５…発光制御部
６…支持機構部
７…支持軸
９…取っ手
１０…圧力センサー
１１…圧力検知部
１２…突起部
１３…遮光部材
１４、１５…開口部
１６…把持部
【図１】
2011062343.tif 000003
【図２】
2011062343.tif 000004
【図３】
2011062343.tif 000005
【図４】
2011062343.tif 000006
【図５】
2011062343.tif 000007
【図６】
2011062343.tif 000008
【図７】
2011062343.tif 000009